【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
建物内で使用されるエネルギー消費機器を制御する制御システムの構築方法であって、
前記エネルギー消費機器を前記建物内の設定位置に配置する工程と、
前記エネルギー消費機器と通信して前記エネルギー消費機器の運転状態を制御する制御装置が、前記設定位置に配置された前記エネルギー消費機器を特定するための機器ＩＤデータを取得する工程と、
前記制御装置が、前記機器ＩＤデータにより特定される前記エネルギー消費機器が配置された前記設定位置を特定するための位置ＩＤデータを取得する工程と、
前記制御装置が、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶する工程と、を前記建物の利用者に前記建物を引き渡す前に前記建物の建設工程として実行し、
前記エネルギー消費機器を前記設定位置に配置する工程では、前記設定位置が記載された前記建物の間取り図に従って前記エネルギー消費機器を前記設定位置に配置し、
前記制御装置が前記位置ＩＤデータを取得する工程では、前記制御装置が、前記間取り図を描画するための図面データを解析し、前記間取り図における前記設定位置の位置関係を特定することにより前記位置ＩＤデータを取得することを特徴とするエネルギー消費機器を制御する制御システムの構築方法。
【請求項２】
建物内で使用されるエネルギー消費機器を制御する制御システムの構築方法であって、
前記エネルギー消費機器を前記建物内の設定位置に配置する工程と、
前記エネルギー消費機器と通信して前記エネルギー消費機器の運転状態を制御する制御装置が、前記設定位置に配置された前記エネルギー消費機器を特定するための機器ＩＤデータを取得する工程と、
前記制御装置が、前記機器ＩＤデータにより特定される前記エネルギー消費機器が配置された前記設定位置を特定するための位置ＩＤデータを取得する工程と、
前記制御装置が、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶する工程と、を前記建物の利用者に前記建物を引き渡す前に前記建物の建設工程として実行し、
前記制御装置が前記位置ＩＤデータを取得する工程では、前記制御装置が、前記設定位置を示す情報の入力操作を通じて前記位置ＩＤデータを取得することを特徴とするエネルギー消費機器を制御する制御システムの構築方法。
【請求項３】
前記制御装置が前記エネルギー消費機器に向けて出力した制御信号に応じて前記エネルギー消費機器の運転状態が正常に切り替わるか否かを検査する検査工程を、前記建物の利用者に前記建物を引き渡す前に前記建物の建設工程として更に実行し、
前記制御装置が前記機器ＩＤデータ及び前記位置ＩＤデータを記憶する工程では、前記制御装置が、前記機器ＩＤデータにより特定される前記エネルギー消費機器のうち、前記検査工程において運転状態が正常に切り替わった正常機器と、前記位置ＩＤデータにより特定される前記設定位置のうち、前記正常機器が配置された正常機器位置とを互いに関連付けて、前記機器ＩＤデータ及び前記位置ＩＤデータを記憶することを特徴とする請求項１又は２に記載されたエネルギー消費機器を制御する制御システムの構築方法。
【請求項４】
建物内で使用されるエネルギー消費機器を制御する制御システムであって、
前記建物内の設定位置に配置された前記エネルギー消費機器と、
前記エネルギー消費機器と通信して前記エネルギー消費機器の運転状態を制御する制御装置と、を有し、
前記エネルギー消費機器は、前記設定位置が記載された前記建物の間取り図に従って前記設定位置に配置され、
前記制御装置は、
前記設定位置に配置された前記エネルギー消費機器を特定するための機器ＩＤデータを取得する機器ＩＤデータ取得部と、
前記機器ＩＤデータにより特定される前記エネルギー消費機器が配置された前記設定位置を特定するための位置ＩＤデータを取得する位置ＩＤデータ取得部と、
前記機器ＩＤデータ及び前記位置ＩＤデータを記憶する記憶部と、を備え、
前記位置ＩＤデータ取得部は、前記間取り図を描画するための図面データを解析し、前記間取り図における前記設定位置の位置関係を特定することにより前記位置ＩＤデータを取得し、
前記記憶部は、前記建物の利用者に前記建物を引き渡す前段階である前記建物の建設過程で、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶することを特徴とするエネルギー消費機器を制御する制御システム。
【請求項５】
建物内で使用されるエネルギー消費機器を制御する制御システムであって、
前記建物内の設定位置に配置された前記エネルギー消費機器と、
前記エネルギー消費機器と通信して前記エネルギー消費機器の運転状態を制御する制御装置と、を有し、
該制御装置は、
前記設定位置に配置された前記エネルギー消費機器を特定するための機器ＩＤデータを取得する機器ＩＤデータ取得部と、
前記機器ＩＤデータにより特定される前記エネルギー消費機器が配置された前記設定位置を特定するための位置ＩＤデータを取得する位置ＩＤデータ取得部と、
前記機器ＩＤデータ及び前記位置ＩＤデータを記憶する記憶部と、を備え、
前記位置ＩＤデータ取得部は、前記設定位置を示す情報の入力操作を通じて前記位置ＩＤデータを取得し、
前記記憶部は、前記建物の利用者に前記建物を引き渡す前段階である前記建物の建設過程で、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶することを特徴とするエネルギー消費機器を制御する制御システム。
【請求項６】
前記エネルギー消費機器のエネルギー消費量を測定するセンサと、前記制御装置からのデータが示す情報を表示する表示器と、を有し、
前記制御装置は、前記センサが測定した前記エネルギー消費機器のエネルギー消費量を、前記エネルギー消費機器が配置された前記設定位置に対応付けて前記表示器に表示させるための表示データを生成するデータ生成部を備え、
該データ生成部は、前記記憶部から前記機器ＩＤデータ及び前記位置ＩＤデータを読み出し、読み出した前記機器ＩＤデータにより特定される前記エネルギー消費機器と、読み出した前記位置ＩＤデータにより特定される前記設定位置との対応関係に基づいて、前記表示データを生成することを特徴とする請求項４又は５に記載されたエネルギー消費機器を制御する制御システム。
【手続補正２】
【補正対象書類名】明細書
【補正対象項目名】０００９
【補正方法】変更
【補正の内容】
【０００９】
前記課題は、本発明のエネルギー消費機器を制御する制御システムの構築方法によれば、建物内で使用されるエネルギー消費機器を制御する制御システムの構築方法であって、前記エネルギー消費機器を前記建物内の設定位置に配置する工程と、前記エネルギー消費機器と通信して前記エネルギー消費機器の運転状態を制御する制御装置が、前記設定位置に配置された前記エネルギー消費機器を特定するための機器ＩＤデータを取得する工程と、前記制御装置が、前記機器ＩＤデータにより特定される前記エネルギー消費機器が配置された前記設定位置を特定するための位置ＩＤデータを取得する工程と、前記制御装置が、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶する工程と、を前記建物の利用者に前記建物を引き渡す前に前記建物の建設工程として実行し、前記エネルギー消費機器を前記設定位置に配置する工程では、前記設定位置が記載された前記建物の間取り図に従って前記エネルギー消費機器を前記設定位置に配置し、前記制御装置が前記位置ＩＤデータを取得する工程では、前記制御装置が、前記間取り図を描画するための図面データを解析し、前記間取り図における前記設定位置の位置関係を特定することにより前記位置ＩＤデータを取得することにより解決される。
【手続補正３】
【補正対象書類名】明細書
【補正対象項目名】００１０
【補正方法】変更
【補正の内容】
【００１０】
前記課題は、また、本発明のエネルギー消費機器を制御する制御システムの構築方法によれば、建物内で使用されるエネルギー消費機器を制御する制御システムの構築方法であって、前記エネルギー消費機器を前記建物内の設定位置に配置する工程と、前記エネルギー消費機器と通信して前記エネルギー消費機器の運転状態を制御する制御装置が、前記設定位置に配置された前記エネルギー消費機器を特定するための機器ＩＤデータを取得する工程と、前記制御装置が、前記機器ＩＤデータにより特定される前記エネルギー消費機器が配置された前記設定位置を特定するための位置ＩＤデータを取得する工程と、前記制御装置が、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶する工程と、を前記建物の利用者に前記建物を引き渡す前に前記建物の建設工程として実行し、前記制御装置が前記位置ＩＤデータを取得する工程では、前記制御装置が、前記設定位置を示す情報の入力操作を通じて前記位置ＩＤデータを取得することにより解決される。
【手続補正４】
【補正対象書類名】明細書
【補正対象項目名】００１３
【補正方法】変更
【補正の内容】
【００１３】
また、上記のエネルギー消費機器を制御する制御システムの構築方法において、前記制御装置が前記エネルギー消費機器に向けて出力した制御信号に応じて前記エネルギー消費機器の運転状態が正常に切り替わるか否かを検査する検査工程を、前記建物の利用者に前記建物を引き渡す前に前記建物の建設工程として更に実行し、前記制御装置が前記機器ＩＤデータ及び前記位置ＩＤデータを記憶する工程では、前記制御装置が、前記機器ＩＤデータにより特定される前記エネルギー消費機器のうち、前記検査工程において運転状態が正常に切り替わった正常機器と、前記位置ＩＤデータにより特定される前記設定位置のうち、前記正常機器が配置された正常機器位置とを互いに関連付けて、前記機器ＩＤデータ及び前記位置ＩＤデータを記憶すれば、好適である。
かかるシステム構築方法では、検査工程にて正常と判断されたエネルギー消費機器（正常機器）とその設定位置（正常機器位置）とを互いに関連付けて、機器ＩＤデータ及び位置ＩＤデータを記憶する。これにより、建物内に存するすべてのエネルギー消費機器について、機器ＩＤデータ及び位置ＩＤデータを記憶し終えた時点では、建物内のエネルギー消費機器が正常機器であることが確認され、かつ、各エネルギー消費機器の配置位置が把握された状態となる。そして、最終的には、上記の状態で建物を利用者に適切に引き渡すことが可能となる。
【手続補正５】
【補正対象書類名】明細書
【補正対象項目名】００１４
【補正方法】変更
【補正の内容】
【００１４】
さらに、前述の課題は、本発明のエネルギー消費機器を制御する制御システムによれば、建物内で使用されるエネルギー消費機器を制御する制御システムであって、前記建物内の設定位置に配置された前記エネルギー消費機器と、前記エネルギー消費機器と通信して前記エネルギー消費機器の運転状態を制御する制御装置と、を有し、前記エネルギー消費機器は、前記設定位置が記載された前記建物の間取り図に従って前記設定位置に配置され、前記制御装置は、前記設定位置に配置された前記エネルギー消費機器を特定するための機器ＩＤデータを取得する機器ＩＤデータ取得部と、前記機器ＩＤデータにより特定される前記エネルギー消費機器が配置された前記設定位置を特定するための位置ＩＤデータを取得する位置ＩＤデータ取得部と、前記機器ＩＤデータ及び前記位置ＩＤデータを記憶する記憶部と、を備え、前記位置ＩＤデータ取得部は、前記間取り図を描画するための図面データを解析し、前記間取り図における前記設定位置の位置関係を特定することにより前記位置ＩＤデータを取得し、前記記憶部は、前記建物の利用者に前記建物を引き渡す前段階である前記建物の建設過程で、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶することにより解決される。
【手続補正６】
【補正対象書類名】明細書
【補正対象項目名】００１５
【補正方法】変更
【補正の内容】
【００１５】
前述の課題は、また、本発明のエネルギー消費機器を制御する制御システムによれば、建物内で使用されるエネルギー消費機器を制御する制御システムであって、前記建物内の設定位置に配置された前記エネルギー消費機器と、前記エネルギー消費機器と通信して前記エネルギー消費機器の運転状態を制御する制御装置と、を有し、該制御装置は、前記設定位置に配置された前記エネルギー消費機器を特定するための機器ＩＤデータを取得する機器ＩＤデータ取得部と、前記機器ＩＤデータにより特定される前記エネルギー消費機器が配置された前記設定位置を特定するための位置ＩＤデータを取得する位置ＩＤデータ取得部と、前記機器ＩＤデータ及び前記位置ＩＤデータを記憶する記憶部と、を備え、前記位置ＩＤデータ取得部は、前記設定位置を示す情報の入力操作を通じて前記位置ＩＤデータを取得し、前記記憶部は、前記建物の利用者に前記建物を引き渡す前段階である前記建物の建設過程で、前記機器ＩＤデータにより特定される前記エネルギー消費機器と、前記位置ＩＤデータにより特定される前記設定位置とを互いに関連付けて、前記機器ＩＤデータ及び前記位置ＩＤデータを記憶することにより解決される。
【手続補正７】
【補正対象書類名】明細書
【補正対象項目名】００５４
【補正方法】変更
【補正の内容】
【００５４】
そして、制御信号に応じて運転状態が正常に切り替わったことを確認することができた場合には、住宅Ｈの施工者の一例である検査者が、機器別動作確認画面に表示されている配置場所入力欄Ｔ１に、当該電気機器の配置位置として設定された設定位置を入力する操作を行う。この配置場所入力欄Ｔ１への入力操作が、上記の設定位置を示す情報の入力操作に相当する。
なお、本実施形態では、キーボード操作等により配置場所入力欄Ｔ１に直接入力する形式にて設定位置を入力することとしているが、これに限定されるものではなく、設定位置の候補をプルダウン形式で表示し、かかる候補の中から選択することにより設定位置を入力することとしてもよい。
【手続補正８】
【補正対象書類名】明細書
【補正対象項目名】００８２
【補正方法】変更
【補正の内容】
【００８２】
以上のように本例（第１例）では、ホームサーバ１０が位置ＩＤデータを取得する工程では、ホームサーバ１０が、検査者による配置場所入力欄Ｔ１への入力操作を通じて、位置ＩＤデータを取得する。
【手続補正９】
【補正対象書類名】明細書
【補正対象項目名】００８９
【補正方法】変更
【補正の内容】
【００８９】
さらに、本実施形態では、ホームサーバ１０（具体的には、機器制御部１０４）が電気機器に向けて出力した制御信号に応じて電気機器の運転状態が正常に切り替わるか否かを検査する検査工程についても、住宅Ｈの建設工程として実行する（換言すると、住宅Ｈの利用者に住宅Ｈを引き渡す前段階で実行する）。
【手続補正１０】
【補正対象書類名】明細書
【補正対象項目名】００９８
【補正方法】変更
【補正の内容】
【００９８】
なお、上記の図面データ解析手順は、間取り図における電気機器の設定位置の位置関係を特定するための手順の一例であり、当然ながら、上記の手順以外の手順により当該位置関係を特定することとしてもよい。